(57)【要約】【課題】      簡単な構成で多数の仕掛けが容易に取り付けられる釣り用仕掛けを提供することである。【解決手段】  ベ−ス体１に複数の仕掛け２、３、４、５、６、７が順次連続された連結の列Ａを捲回して構成され、１つの仕掛け２の釣糸２ａの一端側に釣り針１０が取り付けられており、釣糸２ａの他端側に輪（ちち輪）１１が設けられて他の仕掛け３、４、５、６、７も同様である。  複数の仕掛けが順次連続された連結の列Ａは、１つの仕掛け２の輪１１に他の仕掛け３の釣り針１２を掛止めし、順次仕掛けの輪に他の仕掛けの釣り針を掛止めしている。【選択図】        図２
2007222088.tif 000002
【特許請求の範囲】
【請求項１】
輪を有する釣糸を釣り針に取り付けた複数の仕掛けをベ−ス体で保持した釣り用仕掛けにおいて、複数の仕掛けは、１つの仕掛けの釣糸の輪を他の仕掛けの釣り針に取り外し可能に掛止したことを特徴とする釣り用仕掛け。
【請求項２】
ベ−ス体で保持した仕掛けの釣り針を前記ベ−ス体に係止したことを特徴とする請求項１記載の釣り用仕掛け。
【発明の詳細な説明】
【技術分野】
【０００１】
本発明は、釣糸を釣り針に取り付けた複数の仕掛けをベ−ス体に保持した釣り用仕掛けに関する。
【背景技術】
【０００２】
従来から釣糸付き釣り針が台紙等に取り付けた状態でパッケ−ジされて販売されていた。
このような釣糸付き釣り針は１本ずつ台紙に取り付けられて収納され、使用する時は釣り針を引くとこれに続いて取り付けられた釣糸が引き抜かれるようになっていた。
さらに、輪が設けられた釣糸が釣り針に取り付けられた仕掛けを収納した釣糸付き釣り針の保存具が特許文献１で紹介されている。
【特許文献１】実開昭５４−１４８２９０号公報
【発明の開示】
【発明が解決しようとする課題】
【０００３】
解決しようとする問題点は、特許文献１の保存具は台紙上に粘着層が塗布されており、この台紙に、輪が設けられた釣糸が釣り針に取り付けられた仕掛けを１本ずつ並べて取り付け保持している。
しかし、このような保存具を用いて輪が設けられた釣糸付き釣り針を取り付けて販売するパッケ−ジとするためには粘着層が塗布された台紙が必要で構成が複雑になり、仕掛けの取り付けが煩わしく、また、仕掛け同志が重ならないように取り付けるためあまり多くの仕掛けを取り付けることが難しかった。
【０００４】
本発明の目的は前記欠点に鑑み、簡単な構成で多数の仕掛けが容易に取り付けられる釣り用仕掛けを提供することである。
【課題を解決するための手段】
【０００５】
本発明の請求項１は、輪を有する釣糸を釣り針に取り付けた複数の仕掛けをベ−ス体で保持した釣り用仕掛けにおいて、複数の仕掛けは、１つの仕掛けの釣糸の輪を他の仕掛けの釣り針に取り外し可能に掛止したことを要旨とするものである。
本発明の請求項２は、ベ−ス体で保持した仕掛けの釣り針を前記ベ−ス体に係止したことを要旨とするものである。
【発明の効果】
【０００６】
本発明の請求項１により、構成が簡単で、ベ−ス体に複数の仕掛けが釣り針と釣糸の輪の掛け止めで順次連続した連結の列にして捲回されているので、仕掛けの取り付け、取り外しが容易に行える。
本発明の請求項２により、取り付けた仕掛けが外れたり、仕掛け同志が絡むことが防止される。
【発明を実施するための最良の形態】
【０００７】
ベ−ス体１に複数の仕掛け２、３、４、５、６、７が順次連続された連結の列Ａを捲回して構成されている。
１つの仕掛け２の釣糸２ａの一端側に釣り針１０が取り付けられており、釣糸２ａの他端側に輪（ちち輪）１１が設けられている。
他の仕掛け３、４、５、６、７も同様である。
複数の仕掛けが順次連続された連結の列Ａは、１つの仕掛け２の輪１１に他の仕掛け３の釣り針１２を掛止めし、順次仕掛け３の輪１３に他の仕掛け４の釣り針１４を掛止めし、仕掛け４の輪１５に他の仕掛け５の釣り針１６を掛止めし、仕掛け５の輪１７に他の仕掛け６の釣り針１８を掛止めし、仕掛け６の輪１９に他の仕掛け７の釣り針２０を掛止めして仕掛け７に輪２１が設けられている。
【実施例１】
【０００８】
以下、図示の実施例によって本発明を説明すると、図１、図２は第１実施例で、図１はベ−ス体に捲回する前の複数の仕掛けを、１つの仕掛けの釣糸の輪を他の仕掛けの釣り針に掛止めして順次連続した連結の列の説明図、図２（ａ）はベ−ス体に連続して連結した複数の仕掛けの列を捲回して末端の釣り針をベ−ス体に係止した平面図で（ｂ）は末端の仕掛けの釣り針をベ−ス体から外した平面図で（ｃ）は末端の仕掛けをベ−ス体から取り外しその前の釣り針をベ−ス体に係止した平面図である。
【０００９】
釣り用仕掛けは、ベ−ス体１に複数の仕掛け２、３、４、５、６、７が順次連続された連結の列Ａを捲回して構成されている。
ベ−ス体１は発泡合成樹脂や紙などの釣り針を差し止め可能な材料からなる板状で図２ではＨ字形に形成されて一側に切欠きで釣糸係止部１ａが設けられている。
ベ−ス体１の形状は、連続された連結の列Ａの仕掛けが捲回できるようにボビンのような円柱状等でもよい。
ベ−ス体１の発泡合成樹脂は、独立気泡発泡体でも連続気泡発泡体でもよく、また、ベ−ス体１の縦横に適宜間隔で釣り針を掛けるための複数の孔を設けてもよい。
１つの仕掛け２の釣糸２ａの一端側に釣り針１０が取り付けられており、釣糸２ａの他端側に輪（ちち輪）１１が設けられている。
他の仕掛け３、４、５、６、７も同様である。
各仕掛けの釣糸２ａ、３ａ、４ａ、５ａ、６ａ、７ａはナイロン等の合成樹脂の線材からなり伸縮性を有しているために仕掛けがベ−ス体１に適度な張りを有して取り付けることができるためベ−ス体１からはずれ難い。
【００１０】
複数の仕掛けが順次連続された連結の列Ａは、１つの仕掛け２の輪１１に他の仕掛け３の釣り針１２を掛止めし、順次仕掛け３の輪１３に他の仕掛け４の釣り針１４を掛止めし、仕掛け４の輪１５に他の仕掛け５の釣り針１６を掛止めし、仕掛け５の輪１７に他の仕掛け６の釣り針１８を掛止めし、仕掛け６の輪１９に他の仕掛け７の釣り針２０を掛止めして仕掛け７に輪２１が設けられている。
ベ−ス体１に仕掛けの連続した連結の列Ａが捲回されるときは、釣糸係止部１ａに図１の後端の仕掛け７の輪２１位置の釣糸７ａが係止（挾持）されて連続した連結の列Ａが捲回される。
この時各釣り針１０、１２、１４、１６、１８、２０はベ−ス体１に差し止めて係止するとよい。
仕掛を取り外す時は、最後に捲回した仕掛け２の釣り針１０を外し、次にこの仕掛け２の釣糸２ａの輪１１を連結した隣の他の仕掛け３の釣り針１２から外すが、この時に隣の仕掛け３の釣り針１２をベ−ス体１から外し、掛止された釣糸２ａの輪１１を外し再び隣の仕掛け３の釣り針１２をベ−ス体１に差し止める。
このようにすると仕掛けの取り外しでその隣の仕掛け３が外れてしまうことが防止される。
【００１１】
上記のように釣り用仕掛けは、複数の仕掛け２、３、４、５、６、７を長手方向に連続して連結してベ−ス体１に捲回保持し、釣りを行う際に仕掛けを１つずつ取り出して使用出来るようになっている。
従って、複数の仕掛け２、３、４、５、６、７を連続してベ−ス体１に取り付けることが容易に出来る。
さらに、それぞれの釣り針１０、１２、１４、１６、１８、２０をベ−ス体１に差し止めて係止することで、仕掛けのずれとそれぞれの釣り針に掛け止めした輪の外れが防止されている。
連結した仕掛けの他端側（釣り針）は他の釣り針と同様にベ−ス体１に針先を差し止めることで係止している。
このようにして連結した仕掛けの両端部側が係止された状態でベ−ス体１に保持される。
ベ−ス体１に捲回された連結した仕掛けは仕掛け同志が重ならないように捲回し絡みにくくしているが、重なるように捲回すると仕掛けが他の仕掛けで押さえられて外れ難くなる。
尚、この場合でも捲回順の反対に取り外せば仕掛けの絡みが防止される。
また、発泡合成樹脂のベ−ス体１のように釣り針が任意位置に差し止めて係止出来ると釣り針の係止位置が限定されずにすぐ係止出来る。
また、仕掛けの輪１１、１３、１５、１７、１９、２１は釣り針から容易に外すことができるように、輪の長さＮを懐部長さ（釣り針先端と湾曲部の頂点との間の長さ）Ｈより長く形成する。
【００１２】
前記のように釣り用仕掛けが構成されると、構成が簡単で、ベ−ス体１に複数の仕掛け２、３、４、５、６、７が釣り針と釣糸の輪の掛け止めで順次連続した連結の列にして捲回されているので、取り付け、取り外しが容易に行える。
取り付けた仕掛け２、３、４、５、６、７が外れにくく、仕掛け同志が絡みにくい。
【実施例２】
【００１３】
図３は第２実施例で、図３はベ−ス体に複数の仕掛けを、１つの仕掛けの釣糸の輪を他の仕掛けの釣り針に掛止めして順次連続した連結の列にして捲回した斜視図である。
【００１４】
釣り用仕掛けは、ベ−ス体９に複数の仕掛け２、３、４、５、６、７が順次連続された連結の列Ａを捲回して構成されている。
ベ−ス体９は円筒状に紙や合成樹脂で形成し、その外周を糸巻き部９ａとして複数の仕掛け２、３、４、５、６、７が順次連続された連結の列Ａを捲回している。
この糸巻き部９ａの周縁部に切欠きからなる釣糸係止部９ｂを有している。  そして糸巻き部９ａには多数の釣り針係止用孔９ｃが設けられている。
ベ−ス体９に仕掛けの連続した連結の列Ａが捲回されるときは、釣糸係止部９ｂに後端の仕掛け７の輪２１位置の一端側の釣糸７ａが係止（挾持）されて連続した連結の列Ａが捲回され、他端側（釣り針）は他の釣り針を含めてベ−ス体９に設けた釣り針係止用孔９ｃに針先を差し込んで止めることで係止する。
仕掛けを取り出す時は第１実施例と同様連続した仕掛けの釣り針側から外す。
また、第１実施例と第２実施例は、切欠きからなる釣糸係止部１ａ、９ｂを有しているが、釣糸が係止されれば良く、例えば粘着テ−プなどで止めても良い。
また、１つの仕掛けの釣り針に複数の仕掛けの釣糸の輪を掛止してもよい。
【産業上の利用可能性】
【００１５】
本発明は釣り用仕掛け全般に利用できる。
【図面の簡単な説明】
【００１６】
【図１】第１実施例で、ベ−ス体に捲回する前の複数の仕掛けを、１つの仕掛けの釣糸の輪を他の仕掛けの釣り針に掛止めして順次連続した連結の列の説明図である。
【図２】同（ａ）はベ−ス体に連続して連結した複数の仕掛けの列を捲回して末端の釣り針をベ−ス体に係止した平面図で（ｂ）は末端の仕掛けの釣り針をベ−ス体から外した平面図で（ｃ）は末端の仕掛けをベ−ス体から取り外しその前の釣り針をベ−ス体に係止した平面図である。
【図３】第２実施例で、ベ−ス体に複数の仕掛けを、１つの仕掛けの釣糸の輪を他の仕掛けの釣り針に掛止めして順次連続した連結の列にして捲回した斜視図である。
【符号の説明】
【００１７】
１、９  ベ−ス体
２、３、４、５、６、７  仕掛け
２ａ、３ａ、４ａ、５ａ、６ａ、７ａ  釣糸
１０、１２、１４、１６、１８、２０  釣り針
１１、１３、１５、１７、１９、２１  輪
【図１】
2007222088.tif 000003
【図２】
2007222088.tif 000004
【図３】
2007222088.tif 000005